(57)【要約】【課題】自動給紙装置から延びる電気配線の保護を図ると共に、該電気配線が外部に剥き出しになることにより外観意匠の低下を防止する。【解決手段】原稿台２５１には、該原稿台２５１を挟んで上側と下側とを連通させる連通孔２５１ｇが形成されており、原稿押さえカバー２３０における連通孔２５１ｇに対応する部分には、原稿押さえ面側とその反対側とを連通させると共に自動給紙装置から延びる電気配線が導入される配線導入口２３０ｆが形成されており、一端部が原稿押さえカバー２３０の配線導入口２３０ｆに連通する状態で原稿台２５１の連通孔２５１ｇに内挿され、電気配線２８０を配線導入口２３０ｆから原稿台２５１の下方へと案内する配線ガイド筒２３５をさらに備え、配線ガイド筒２３５の上端部の外壁面には、原稿押さえカバー２３０を支持軸部２３３と同軸に支持する係合突部２３５ａが形成されている。【選択図】図４
2017079341.tif 000002
【特許請求の範囲】
【請求項１】
原稿がセットされる透光性の原稿載置面を有する原稿台と、該原稿載置面に対して平行に延びる支持軸部回りに回動することで該原稿載置面を開閉可能に覆う原稿押さえカバーと、上記原稿押さえカバーにおける原稿押さえ面とは反対側面に設けられ、上記原稿を所定の画像読取位置に供給した後に排紙する自動給紙装置と、該画像読取位置を通過する原稿の画像を読取る画像読取部と、を備えた画像読取装置であって、
上記原稿台には、該原稿台を挟んで上側と下側とを連通させる連通孔が形成されており、
上記原稿押さえカバーにおける上記連通孔に対応する部分には、上記原稿押さえ面側とその反対側とを連通させると共に上記自動給紙装置から延びる電気配線が導入される配線導入口が形成されており、
一端部が上記原稿押さえカバーの配線導入口に連通する状態で上記原稿台の連通孔に内挿され、上記電気配線を上記配線導入口から上記原稿台の下方へと案内する配線ガイド筒をさらに備え、
上記配線ガイド筒の上端部の外壁面には、上記支持軸部と同軸をなし、該外壁面から外側に突出して上記原稿押さえカバーに係合する係合突部が形成されており、
上記原稿押さえカバーは、上記支持軸部及び上記係合突部回りに回動可能に構成されている、画像読取装置。
【請求項２】
請求項１記載の画像読取装置において、
上記原稿台には、上記連通孔と平行に延びるスライド孔が形成され、
上記スライド孔によりガイドされて上下方向にスライド可能に構成されたスライド部材をさらに備え、
上記支持軸部は、上記スライド部材の上端部に設けられ、
上記配線ガイド部材は、上記スライド部材のスライド移動に連動して、上記原稿台の連通孔内をスライド可能に構成されている、画像読取装置。
【請求項３】
請求項１又は２記載の画像読取装置において、
上記画像読取部は、上記自動給紙装置に設けられて当該原稿の裏面の画像を読取る第１読取部と、上記原稿載置面よりも下側に配置されて上記原稿の表面の画像を読取る第２読取部とを有し、
上記第１読取部は、自動給紙装置内に搭載されたコンタクトイメージセンサーからなり、
上記電気配線は、上記自動給紙装置に搭載されたコンタクトイメージセンサーから延びるフレキシブルフラットケーブルである、画像読取装置。
【請求項４】
請求項１乃至３のいずれか一項に記載の画像読取装置を備えた画像形成装置。
【発明の詳細な説明】
【技術分野】
【０００１】
本発明は、画像読取装置及び該画像読取装置を備えた画像形成装置に関する。
【背景技術】
【０００２】
従来、画像形成装置や複写機等の画像形成装置は、原稿画像を光学的に読取る画像読取装置を備えている。この画像読取装置は、例えば画像形成装置本体の上部に設けられている。画像読取装置は、原稿が載置される透光性の原稿載置面を有している。原稿載置面は、透光性を有する部材により構成されている。原稿載置面の下側にはスキャナ部が配置されている。スキャナ部は、原稿載置面の画像読取位置に供給される原稿画像を光学的に読取る。原稿載置面は、自動給紙装置を有する原稿押さえカバーにより開閉可能に覆われている。自動給紙装置は、給紙トレイと排紙トレイとを有していて、給紙トレイにセットされた複数枚の原稿を一枚ずつ順に画像読取位置に供給して排紙トレイに排出する。自動給紙装置は、用紙を給紙又は排紙するためのモーターや、用紙を検出するためのセンサーを有している。このモーターやセンサーは、画像形成装置本体に設けられた電源基板等に電気配線を介して接続される（例えば、特許文献１参照）。
【先行技術文献】
【特許文献】
【０００３】
【特許文献１】特開２００４−３５７３７０号公報
【発明の概要】
【発明が解決しようとする課題】
【０００４】
しかしながら上記特許文献１に示す従来の画像読取装置では、自動給紙装置から延びる電気配線（モーターやセンサーの電気配線）が外部に剥き出しになるため、外観意匠が損なわれると共に配線が破損し易いという問題がある。
【０００５】
本発明は、かかる点に鑑みてなされたものであり、その目的とするところは、自動給紙装置から延びる電気配線の保護を図ると共に、該電気配線が外部に剥き出しになることによる外観意匠の低下を防止することにある。
【課題を解決するための手段】
【０００６】
本発明に係る画像読取装置は、原稿がセットされる透光性の原稿載置面を有する原稿台と、該原稿載置面に対して平行に延びる支持軸部回りに回動することで該原稿載置面を開閉可能に覆う原稿押さえカバーと、上記原稿押さえカバーにおける原稿押さえ面とは反対側面に設けられ、上記原稿を所定の画像読取位置に供給した後に排紙する自動給紙装置と、該画像読取位置を通過する原稿の画像を読取る画像読取部と、を備えている。
【０００７】
そして、上記原稿台には、該原稿台を挟んで上側と下側とを連通させる連通孔が形成されており、上記原稿押さえカバーにおける上記連通孔に対応する部分には、上記原稿押さえ面側とその反対側とを連通させると共に上記自動給紙装置から延びる電気配線が導入される配線導入口が形成されており、一端部が上記原稿押さえカバーの配線導入口に連通する状態で上記原稿台の連通孔に内挿され、上記電気配線を上記配線導入口から上記原稿台の下方へと案内する配線ガイド筒をさらに備え、上記配線ガイド筒の上端部の外壁面には、上記支持軸部と同軸をなし、該外壁面から外側に突出して上記原稿押さえカバーに係合する係合突部が形成されており、上記原稿押さえカバーは、上記支持軸部及び上記係合突部回りに回動可能に構成されている。
【０００８】
この構成によれば、原稿押さえカバーは、原稿載置面に平行な支持軸部回りに回転することで原稿載置面を開閉可能になっている。原稿押さえカバーには自動給紙装置が設けられているので、原稿画像を自動で連続的に読取ることができる。そして、上記構成によれば、上記自動給紙装置から延びる電気配線を、原稿押さえカバーに形成された配線導入口及び原稿台の連通孔に内挿された配線ガイド筒内を通って原稿台の下方へと導くことができる。よって、電気配線が外部に剥き出しになるのを防止することができる。延いては、画像読取装置の設置性（特に壁際における設置性）を向上させることができるとともに、外観意匠の低下を防止することができる。また配線ガイド筒により電気配線を保護することができるので、電気配線の破損を防止することができる。
【０００９】
また、配線ガイド筒の上端部の外壁面には、支持軸部と同軸に係合突部が形成されており、原稿押さえカバーはこの係合突部回りに回動可能に構成されている。よって、原稿押さえカバーを開閉させる際に、配線ガイド筒が原稿押さえカバーと干渉することもない。
【００１０】
上記原稿台には、上記連通孔と平行に延びるスライド孔が形成され、上記スライド孔によりガイドされて上下方向にスライド可能に構成されたスライド部材をさらに備え、上記支持軸部は、上記スライド部材の上端部に設けられ、上記配線ガイド部材は、上記スライド部材のスライド移動に連動して、上記原稿台の連通孔内をスライド可能に構成されていることが好ましい。
【００１１】
この構成によれば、原稿押さえカバーを支持する支持軸部がスライド部材と共に上下方向にスライド可能に構成されている。また、係合突部を有する配線ガイド筒は、スライド部材のスライド移動に連動して原稿台の連通孔内をスライドする。
【００１２】
したがって、書籍のように比較的分厚い原稿の画像を読取る際に、原稿の厚みに応じて原稿押さえカバーを上下させて対応することができる。
【００１３】
上記画像読取部は、上記自動給紙装置に設けられて当該原稿の裏面の画像を読取る第１読取部と、上記原稿載置面よりも下側に配置されて上記原稿の表面の画像を読取る第２読取部とを有し、上記第１読取部は、自動給紙装置内に搭載されたコンタクトイメージセンサーからなり、上記電気配線は、上記自動給紙装置に搭載されたコンタクトイメージセンサーから延びるフレキシブルフラットケーブルであることが好ましい。
【００１４】
この構成によれば、第１及び第２読取部によって原稿の両面の画像を読取ることができる。ここで、第１読取部を構成するコンタクトイメージセンサーはフレキシブルフラットケーブルを有している。フレキシブルケーブルは他の電気配線と比べて束ね難いので、外部に剥出しになると見栄えが損なわれる。本発明はこのように自動給紙装置から延びる電気配線がフレキシブルケーブルである場合に特に有用である。
【００１５】
本発明に係る画像形成装置は上記画像読取装置を備えている。
【００１６】
この構成によれば、自動給紙装置から延びる電気配線の保護を図ることができる。また、電気配線が外部に剥き出しになることによる外観意匠の低下を防止することができる。また、画像形成装置の壁際等における設置性を向上させることができる。
【発明の効果】
【００１７】
本発明によれば、自動給紙装置から延びる電気配線の保護を図ると共に、該電気配線が外部に剥き出しになることによる外観意匠の低下を防止することができる。さらには、剥き出しの電気配線によって装置の設置性が損なわれるのを防止することが可能となる。
【図面の簡単な説明】
【００１８】
【図１】図１は、実施形態における画像読取装置を備えた画像形成装置を示す概略の縦断面図である。
【図２】図２は、画像読取装置を示す概略の縦断面図である。
【図３】図３は、画像読取装置を示す、後方の右側から見た斜視図である。
【図４】図４は、原稿押さえカバーを支持する右側のヒンジ機構とその周辺部を示す前方の右側寄りから見た斜視図である。
【図５】図５は、原稿押さえカバーを取外した状態を示す後方の右側寄りから見た斜視図である。
【図６】図６は、原稿台を取外した状態を示す後方から見た斜視図である。
【図７】図７は、原稿台を後方の下側から見た斜視図である。
【図８】図８は、自動給紙装置の給紙カバーを取外した状態を示す上方から見た斜視図である。
【図９】図９は、自動給紙装置の給紙カバーを取外した状態を示す後方から見た斜視図である。
【発明を実施するための形態】
【００１９】
以下、本発明の実施形態を図面に基づいて詳細に説明する。尚、本発明は、以下の実施形態に限定されるものではない。
【００２０】
《実施形態１》
図１は、本実施形態における画像読取装置２００を備えた画像形成装置１を示している。この画像形成装置１は、電子写真方式を利用したレーザープリンターである。この画像形成装置１は、画像形成装置本体１００と、画像形成装置本体１００の上部に取り付けられた上記画像読取装置２００と、ユーザーが操作可能な操作パネル３００と、を備えている。尚、以下の説明において、前側、後側はそれぞれ、画像形成装置１の前側（操作パネル３００が位置する側）、後側を意味し、左側、右側は、画像形成装置１を前側から見て左側、右側を意味する。
【００２１】
図２に示すように画像形成装置本体１００は箱状の筐体６０を有している。筐体６０の上部には画像読取装置２００が設けられている。
【００２２】
上記筐体６０内には、給紙部１０、画像形成部２０、定着部４０が収容されている。給紙部１０から排紙トレイ部５０に至る用紙搬送経路Ｌには、用紙Ｐを挟持して搬送する複数の搬送ローラー対１１〜１３が配置されている。また、用紙搬送路Ｌの下流側から分岐して上流側に合流する反転搬送路Ｌ´が設けられている。反転搬送路Ｌ´には搬送ローラー対１４〜１６が配置されている。
【００２３】
上記給紙部１０は、筐体６０内の下部に配置されている。給紙部１０は、シート状の用紙Ｐが収容される給紙カセット１０ａと、該給紙カセット１０ａ内の用紙Ｐを取り出して該カセット外に送り出すためのピックアップローラー１０ｂとを有している。給紙カセット１０ａよりカセット外に送り出された用紙Ｐは、搬送ローラー対１１を介して画像形成部２０に供給される。画像形成部２０では、ブラック、マゼンタ、シアンおよびイエローの各色にそれぞれ対応するトナー画像を形成する作像ユニット２０Ｂｋ、２０Ｍ、２０Ｃ、２０Ｙが一列に配置されている。各作像ユニット２０Ｂｋ、２０Ｍ、２０Ｃ、２０Ｙは、感光体ドラム２１、帯電装置２２、現像装置２３およびクリーニング装置２４を備えている。作像ユニット２０Ｂｋ、２０Ｍ、２０Ｃ、２０Ｙの下方には、各感光体ドラム２１の表面にレーザー光を照射する露光装置２５が配置されている。また、作像ユニット２０Ｂｋ、２０Ｍ、２０Ｃ、２０Ｙの上方には、中間転写ユニット２６が配置されている。中間転写ユニット２６には、各感光体ドラム２１に接して走行する中間転写ベルト２７が設けられている。中間転写ベルト２７の内側には感光体ドラム２１との間で中間転写ベルト２７を挟み込むように、一次転写ローラー２８が設けられている。また、作像ユニット２０Ｂｋの下流側には、中間転写ベルト２７の表面に接触するように二次転写ローラー２９が設けられている。中間転写ユニット２６の上方には、トナーコンテナ３０Ｂｋ、３０Ｍ、３０Ｃ、３０Ｙが配置されている。トナーコンテナ３０Ｂｋ、３０Ｍ、３０Ｃ、３０Ｙには、作像ユニット２０Ｂｋ、２０Ｍ、２０Ｃ、２０Ｙの各現像装置２３に補給される各色のトナーが収納されている。
【００２４】
画像形成部２０では、露光装置２５によって各感光体ドラム２１の表面に所定の画像データ（例えば、画像読取装置２００により読み込んだ原稿画像データ）に基づくレーザー光を照射することで静電潜像を形成する。画像形成部２０は、この形成した静電潜像を現像装置２３によって現像することで各色のトナー像を形成する。各感光体ドラム２１の表面に形成された各色のトナー像は、一次転写ローラー２８によって中間転写ベルト２７の表面に転写されて重ね合わせられる。そして、中間転写ベルト２７上に転写されたトナー像は二次転写ローラー２９によって、給紙部１０より供給された用紙Ｐに対して転写される。該転写後の用紙Ｐは定着部４０に供給される。定着部４０では、画像形成部２０より供給される用紙Ｐを定着ローラー４０ａ及び加圧ローラー４０ｂ間で加圧することにより、当該用紙Ｐにトナー像を定着させる。そして、定着部４０にてトナー像が定着された用紙Ｐは、両ローラー４０ａ，４０ｂにより下流側へと送り出される。定着部４０より送り出された用紙Ｐは、搬送ローラー対１３を介して上記排紙トレイ部５０に排出される。また、用紙Ｐの両面にトナー像を形成する場合には、搬送ローラー対１３によって用紙Ｐはスイッチバックされて、反転搬送路Ｌ´に搬送される。  
【００２５】
図２に示すように、上記画像読取装置２００は、略直方体状のケース体２５０を有している。ケース体２５０の上面は原稿台２５１を形成している。原稿台２５１は、矩形状の枠状部２５１ａとその内側に嵌め込まれたコンタクトガラスとを有している。このコンタクトガラスの上面が透光性の原稿載置面２５１ｂを形成している。原稿載置面２５１ｂは、原稿押さえカバー２３０により開閉可能に覆われている。原稿押さえカバー２３０は、一対のヒンジ機構２３１（図３参照）を介して原稿台２５１に回動可能に取付けられている。原稿押さえカバー２３０の上面側には自動給紙装置２２２が設けられている。
【００２６】
上記ケース体２５０の内部（つまりコンタクトガラス２５１ｂの下方）にはスキャナ部２１０が収容されている。スキャナ部２１０は、原稿載置面２５１ｂに載置された原稿を光学的に読み取ってその画像データを生成する。具体的には、スキャナ部２１０は、反射ミラー２１２、ＣＣＤセンサー２１３、及び読取りユニット２１５を有している。読取りユニット２１５は、ＬＥＤ光源２１５ａよりコンタクトガラス上の原稿に向けて光を照射する。反射ミラー２１２は、原稿からの反射光をＣＣＤセンサー２１３へと導く。ＣＣＤセンサー２１３は、受光した光を光電変換して原稿画像の画像データを生成する。生成された画像データは、不図示のデータ記憶部に記憶される。
【００２７】
上記自動給紙装置２２２は、給紙ローラー２２４ａ、第１搬送ローラー２２４ｂ、第２搬送ローラー２２４ｃ、及び排紙ローラー２２４ｄを有している。これらのローラー２２４ａ〜２２４ｄによってＵ字状の搬送経路２２５が形成されている。ローラー２２４ａ〜２２４ｄは、給紙カバー２２１（図３参照）により上側から覆われている。自動給紙装置２２２は、原稿給紙トレイ２２３上の原稿を給紙ローラー２２４ａによって原稿搬送路２２５に供給した後、搬送ローラー２２４ｂ，２２４ｃを経由して排紙ローラー２２４ｄによって排紙トレイ２２８に排出する。搬送経路２２５の途中には、第１画像読取位置２２６及び第２画像読取位置２２７が設定されている。第１画像読取位置２２６では、第１読取部としてのコンタクトイメージセンサー（ＣＩＳ）２１１により原稿の裏面の画像が読取られる。コンタクトイメージセンサー２１１は、第１及び第２搬送ローラー２２４ｂ，２２４ｃ間に配置されている。第２画像読取位置２２７では、第２読取部としてのスキャナ部２１１により原稿の表面の画像が読取られる。
【００２８】
コンタクトイメージセンサー２１１は、電気配線２８０を介して画像形成装置本体１００内の電気基板に接続されている。コンタクトイメージセンサー２１１の電気配線としては、例えばＦＦＣ（Flexible Flat Cable）が使用される。
【００２９】
図３に示すように、上記原稿押さえカバー２３０は、左右方向に長い矩形板状をなしている。原稿押さえカバー２３０の後端部は、左右一対のヒンジ機構２３１を介して原稿台２５１に取付けられている。左右のヒンジ機構２３１の間には配線ガイド筒２３５が設けられている。配線ガイド筒２３５は、自動給紙装置２２２から延びる電気配線２８０を画像形成装置本体１００内に導くためのものである。
【００３０】
図４及び図５を参照して、上記ヒンジ機構２３１は、支持ブラケット部２３２と固定ブラケット部２３４と支持ピン（支持軸部）と２３３を有している。支持ブラケット部２３２は、支持ピン２３３の両端部を支持する一対の縦壁部２３２ａを有している。支持ピン２３３は、原稿載置面２５１ｂに対して平行に延びている。固定ブラケット部２３４は、この支持ピン２３３に対して揺動可能に支持された揺動部２３４ａと、揺動部２３４ａの左右両側面から突出する一対のフランジ部２３４ｂとを有している。各フランジ部２３４ｂは、不図示のネジにより原稿押さえカバー２３０に固定されている。上記支持ブラケット部２３２は、上下方向に延びるスライド筒２３６の上端部に固定されている（図６参照）。スライド筒２３６は、原稿台２５１（枠状部２５１ｂ）に形成されたスライド孔２５１ｆ（図５参照）に内挿されている。スライド孔２５１ｆは、原稿台２５１を上下方向に貫通しており、スライド筒２３６は、スライド孔２５１の内周面によって上下方向にスライド可能にガイドされている。この構成によれば、原稿押さえカバー２３０を上方に引き上げてスライドさせることが可能となる。これにより、例えば書籍のような厚みが大きい原稿にも対応することができる。スライド筒２３６の下端部には突起部２３６ａが形成されている（図６参照）。この突起部２３６ａは、原稿押さえカバー２３０を所定量以上引き上げたときに原稿台２５１の下面に当接してスライド筒２３６の抜けを防止する（図７参照）。尚、図７中の符号２３７は、スライド筒２３６が下方に抜け落ちないように、スライド筒２３６を保持する保持ケースである。
【００３１】
図４及び図５に戻って、上記配線ガイド筒２３５は、原稿台２５１に形成された連通孔２５１ｇに内挿されている。連通孔２５１ｇは、原稿台２５１を挟んでその上側と下側とを連通させる。連通孔２５１ｇは、上記スライド孔２５１ｆと同様に上下方向に延びている。すなわち、連通孔２５１ｇはスライド孔２５１ｇに対して平行に延びている。
【００３２】
配線ガイド筒２３５は、水平断面が略正方形状の筒状部材からなる。配線ガイド筒２３５は、例えば樹脂材により構成されている。配線ガイド筒２３５の左右両側の外壁面には、左右方向の外側に突出する係合突部２３５ａが形成されている。各係合突部２３５ａは、例えば円筒状に形成されている。各係合突部２３５ａは、原稿押さえカバー２３０に形成された縦壁部２３０ａを貫通している。すなわち、各係合突部２３５ａは、縦壁部２３０ａに形成された被係合孔に係合している。各係合突部２３５ａは、上記支持ピン２３３と同軸に形成されている。そして、原稿押さえカバー２３０は、上記支持ピン２３３及び係合突部２３５ａ回りに回動可能に構成されている。
【００３３】
図８に示すように、原稿押さえカバー２３０を閉じた状態では、配線ガイド筒２３５の上端側の開口は、原稿押さえカバー２３０に形成された配線導入口２３０ｆに連通している。尚、図４に示すように、原稿押さえカバー２３０を開いた状態では、配線導入口２３０ｆの外縁と配線ガイド筒２３５の上端側の開口の外縁とが一致しなくなるものの、両者が連通していることに変わりはない。
【００３４】
上記配線導入口２３０ｆは、原稿台２５１の連通孔２５１ｇに対応する位置に形成されている。配線導入口２３０ｆは、原稿押さえカバー２３０の原稿押さえ面側とその反対側とを連通させるように形成されている。
【００３５】
図９に示すように、自動給紙装置２２２から延びる電気配線２８０は、原稿押さえカバー２３０の上面側の後端部に沿って左側から右側に向かって延びた後、下側に折れ曲がり、配線導入口２３０ｆ及び配線ガイド筒２３５内を通って原稿台２５１の下側に設けられた画像形成装置本体１００へと導かれる。そして、電気配線２８０は、画像形成装置本体１００内に設けられた電気基板に接続されている。
【００３６】
したがって、自動給紙装置２８０から延びる電気配線２８０を外部に剥き出しにすることなく、画像形成装置本体１００内の電気基板まで導くことができる。これにより、電気配線２８０が外部に剥き出しになるのを防止することができる。よって、外観意匠の低下を防止することができる。また、配線ガイド筒２３５によって電気配線２８０を保護することができるので、電気配線の破損を防止することができる。また、画像形成装置１を壁際に設置する際などに電気配線２８０が邪魔になることもない。よって画像形成装置の設置性を向上させることができる。
【００３７】
しかも、上記配線ガイド筒２３５の上端部の外壁面には、第１支持ピン２３３と同軸に係合突部２３５ａが形成されている。原稿押さえカバー２３０は、この係合突部２３５ａ回りに回動可能に構成されている。よって、原稿押さえカバー２３０を開閉させる際に、配線ガイド筒２３５が原稿押さえカバーと干渉することもない。
【００３８】
また、上記実施形態では、原稿台２５１には、連通孔２５１ｇと平行に延びるスライド孔２５１ｆ（図５参照）が形成されている。そして、上記第１支持ピン２３３は、このスライド孔２５１ｆに内挿されたスライド筒２３６と共に上下方向に移動可能に構成されている。配線ガイド筒２３５は、スライド筒２３６のスライド移動に連動して、原稿台２５１の連通孔２５１ｇ内をスライド可能に構成されている。この構成によれば、書籍のように比較的分厚い原稿の画像を読取る際に、原稿の厚みに応じて原稿押さえカバー２３０を上下させて対応することができる。
【００３９】
また、上記実施形態では、画像読取装置２００は、原稿載置面２５１ｂよりも下側に配置されて第２画像読取位置２２７を通過する原稿の表面の画像を読取るスキャナ部２１０と、自動給紙装置２２２に設けられて当該原稿の裏面の画像を読取るコンタクトイメージセンサー２１１とを有している。このコンタクトイメージセンサー２１１は電気配線２８０としてのフレキシブルフラットケーブルを有している。フレキシブルケーブルは、他の電気配線類と比べて束ね難いので、外部に剥き出しになると見栄えが悪い。しかし、上記実施形態の構成によれば、フレキシブルフラットケーブルを配線ガイド筒２３５内に収容することができるので、見栄えが損なわれることもない。
【００４０】
《他の実施形態》
本発明は、上記実施形態１について、以下のような構成としてもよい。
上記実施形態では、画像形成装置１がレーザープリンターである例を説明したが、これに限ったものではなく、画像形成装置１は、例えば複写機や複合機であってもよい。また、画像形成装置１は電子写真方式に限らずインクジェット方式であってもよい。
【産業上の利用可能性】
【００４１】
以上説明したように、本発明は、原稿押さえカバーを有する画像読取装置及び画像形成装置に有用であり、特に、原稿押さえカバーと自動給紙装置とを一体化した画像読取装置及び画像形成装置に有用である。
【符号の説明】
【００４２】
１        画像形成装置
２００    画像読取装置
２１０    スキャナ部（第２読取部）
２１１    コンタクトイメージセンサー（第１読取部）
２２２    自動給紙装置
２２６    第１読取位置（所定の画像読取位置）
２２７    第２読取位置（所定の画像読取位置）
２３０    原稿押さえカバー
２３３    支持ピン（支持軸部）
２３５    配線ガイド筒（配線ガイド部材）
２３５ａ  係合突部
２３６    スライド筒（スライド部材）
２５１    原稿台
２５１ｆ  スライド孔
２５１ｇ  連通孔
２８０    ケーブル（電気配線）
【図１】
2017079341.tif 000003
【図２】
2017079341.tif 000004
【図３】
2017079341.tif 000005
【図４】
2017079341.tif 000006
【図５】
2017079341.tif 000007
【図６】
2017079341.tif 000008
【図７】
2017079341.tif 000009
【図８】
2017079341.tif 000010
【図９】
2017079341.tif 000011